(57)【要約】      （修正有） 【課題】夏季や発熱時において、身体の局部を冷却することで効率的に体温を低下させることができ、動作効率の低下も損なわず、安全で衛生的かつコストやデザイン面においても貢献できる脇冷却肌着を提供する。【解決手段】脇冷却肌着は、肌着本体１の脇の部位に撥水性の生地やシート片を使用し概楕円形または小判型の冷却パック装着袋２を設け、この袋の挿入口から冷却パックを中に入れて使用する。冷却パックは袋とほぼ同形とし、その内部には凝固しない市販の高分子吸水性樹脂及び水等からなるジェル状の冷却剤を充填する。なお冷却剤は、家庭用冷蔵庫及び冷凍庫で冷却することにより繰り返し使用可能な材料を使用する。【選択図】図１
0003172705.tif 000002
【実用新案登録請求の範囲】
【請求項１】
肌着脇下部に冷却充填した冷却パックを収納する袋を設け、挿入口から冷却パックを繰り返し脱着可能とする脇冷却肌着。
【請求項２】
肌着脇下部は肌との密着性を高める収縮性のある生地やシート片を使用した概楕円形、小判型の袋で形成された請求項１記載の脇冷却肌着。
【請求項３】
肌着脇下部は冷却パックの当たる所に撥水性のある生地やシート片を使用した請求項１記載の脇冷却肌着。
【請求項４】
冷却パックを収納する袋の挿入口は上方生地と下方生地とが重なり合うように形成したことを特徴とする請求項１、請求項２、請求項３記載の脇冷却肌着。
【考案の詳細な説明】
【技術分野】
【０００１】
本考案は、発熱や熱中時の体温低下を促し、かつ装着時の作業効率の低下を回避する冷却肌着に関するものである。
【背景技術】
【０００２】
発熱時には、身体の中で動脈に近い部位を冷却するのが効果的である。そのため発熱時や寝たきりの病人の介護を行う場合、冷却剤を額部あるいは脇部などに当てていた。
【０００３】
衣服の一部に収納部を設け、冷却剤を身体の一部に当てるようにした方法も提案されているが、密着性が低く、身体冷却の効果は低いという問題点があった。（例えば特許文献１）
【０００４】
特許文献１では、冷却剤を装着する際、事前に衣服を脱着しないといけない為、自身での装着に手間がかかる。
【０００５】
また特許文献１では、冷却装置が背中にあり、ファスナー等の器具を使用しているため病気や寝たきりのことを考えると肌に負担がかかる。
【先行技術文献】
【特許文献】
【０００６】
【特許文献１】実登３０２１０２７号
【考案の概要】
【考案が解決しようとする課題】
【０００７】
身体の温度を低下させるものとして、扇風機や冷房器具等が一般的である。しかしこれらは間接的な冷却であり、身体を直接的に冷却するものではなかった。また電源の得られない環境下では、必然的に利用できない方法であった。
【０００８】
冷却剤の装着作業に手間がかかる、あるいは冷却剤が直接肌に触れることから衛生的ではないといった欠点があった。
【０００９】
発熱時であっても外出せざるを得ないときは、上着を着用してもみぐるしくなく、動作性も損なうことなく、かつ冷却剤の脱着が容易に行えるものが必要とされていた。
【００１０】
また発熱にも拘わらず、外出しなければならない時に上着の下に着用すると冷却剤の部分が膨らんで、デザイン的に好ましくない状態になるという欠点があった。
【００１１】
寝たきりの病人や介護等にも冷却剤の取り換えが容易にでき、身体を冷やす部位として吸熱効果の高い脇を効率的に冷却できる冷却着がなく、本考案のような肌着本体も洗い替えが出来る衛生的な衣服がなかった。
【課題を解決するための手段】
【００１２】
本考案による脇冷却肌着は、肌着脇下部に冷却充填した冷却パックを収納する袋を設け、挿入口から冷却パックを繰り返し脱着して使用する。
【００１３】
本体脇部位は、人体と冷却剤との密着性を高めるために収縮性のある生地やシート片にする。
【００１４】
肌着本体の脇の部位には撥水性のある生地やシート片を使用した概楕円形、小判型の袋で形成する。
【００１５】
冷却パックは袋とほぼ同形とし、その内部には凝固しない市販の高分子吸水性樹脂及び水等からなるジェル状の冷却剤を充填する。
【００１６】
冷却パックを収納する袋の挿入口は、上方生地と下方生地とが重なり合うように形成する。
【考案の効果】
【００１７】
本考案によれば、肌着の脇下部に冷却パックを装着することから、身体からの吸熱効果が高く、発熱時の熱冷ましに有効に作用する。
【００１８】
本体脇部位は、人体と冷却剤との密着性を高めるために収縮性のある生地やシート片にする事で更に吸熱効果が高まる。
【００１９】
また本体部が肌着であるため気軽に装着可能であり、サイズやデザインを身体に合わせて変える事で子どもは勿論のこと老若男女問わず使用できる。
【００２０】
着用時においても、活動の妨げを少なくし、人体への負担も軽減できる。
【００２１】
また本体を洗濯し、繰り返し使用可能な事から衛生面やコスト面に於いて貢献できる。
【００２２】
また、袋を設けた事により安全面に於いて、冷却パックが破損して中の冷却剤が飛び出した時でも、冷却剤が肌に直接触れるのを防ぐ役割もする。
【００２３】
冷却パックの挿入口は、撥水性の生地やシート片を上下重ね合わせファスナー等の器具を使用しない構造にすることで人体への負担を軽減させ、容易に脱着でき上着の下に着用しても目立ちにくく作業や活動範囲を広げる脇冷却肌着である。
【図面の簡単な説明】
【００２４】
【図１】本考案使用時の概略図である。
【図２】脇冷却部の装着時の正面図（図１のA矢視図）である。
【図３】肌着素材に冷却パック装着袋を縫合した断面図である。
【図４】冷却パックの正面図である。
【図５】冷却パックの側面図（図４  B−B断面）である。
【図６】冷却パックの平面図（図４  C−C断面）である。
【図７】肌着の脇冷却部に撥水加工を施し、肌着を冷却パック装着袋の身体側部分として利用する第２の実施例である。
【考案を実施するための形態】
【００２５】
本考案による脇冷却肌着は、肌着本体の脇の部位に撥水性の生地やシート片を使用し概楕円形または小判型の袋を設け、この袋の挿入口から冷却パックを中に入れて使用する。冷却パックは袋とほぼ同形とし、その内部には凝固しない市販の高分子吸水性樹脂及び水等からなるジェル状の冷却剤を充填する。なお冷却剤は、家庭用冷蔵庫及び冷凍庫で冷却することにより繰り返し使用可能な材料を使用する。
【実施例１】
【００２６】
以下、添付図面に従って一実施例を説明する。１は肌着本体、４は高分子吸水性樹脂と水からなるジェル状の冷却剤、３はジェル状冷却剤４を内部に充填した冷却パック、２は冷却パック３を肌着に保持するための冷却パック装着袋、５は２の冷却パック装着袋に設けた冷却パック挿入口、６は実施例２で説明する肌着の脇部位に設けた撥水剤浸透域、７は人体である。
【００２７】
冷却パック３の概略の大きさは、幅１２センチ、縦１５センチ、最も厚い中央部の厚みを２．８センチとし、周辺部はできるだけ薄くする。
【００２８】
冷却パック装着袋２は、冷却パックの表面に結露した水分の浸透を防ぐために撥水性の生地やシート片で作成し、冷却パック３を収納できる大きさにする。また中央付近に冷却パック３の挿入、取り出しのための冷却パック挿入口５を設ける。挿入口５は、冷却パック３の落下を防止するために、図３に示すように８と９が重なりあう構造とする。
【実施例２】
【００２９】
図７に示した第２の考案は、本体肌着の脇下部分を収縮性のある生地に撥水性剤を浸透させた部分６を、冷却パック装着袋の一部として使用するものである。これにより冷却パック４と人体が近距離で接触することになり、吸熱効果を高めることができる。また冷却パック装着袋を薄くすることが可能となり、動作性の向上および外観の向上を図ることができる。
【符号の説明】
【００３０】
１．  脇冷却肌着本体    
２．  冷却パック装着袋
３．  冷却パック
４．  冷却ジェル（高分子吸水樹脂等）
５．  冷却パック挿入口
６．  脇部位撥水剤浸透域
７．  人体
８．  冷却パック装着袋の上生地
９．  冷却パック装着袋の下生地
【図１】
0003172705.tif 000003
【図２】
0003172705.tif 000004
【図３】
0003172705.tif 000005
【図４】
0003172705.tif 000006
【図５】
0003172705.tif 000007
【図６】
0003172705.tif 000008
【図７】
0003172705.tif 000009